(57)【要約】【課題】互いに重複するアドレス空間を使用する２つのネットワーク間で通信を行う音声通信システムを実現する。【解決手段】第１ネットワークにおける通信パケットの送受信アドレスを管理する第１のプロトコルスタックと、第２ネットワークにおける通信パケットの送受信アドレスを管理する第２のプロトコルスタックと、いずれかのネットワークから通信パケットを受信した場合に、該パケットに含まれる呼出先情報に基づいて該パケットの転送先ネットワークおよび転送先アドレスを決定する呼制御部とを備えたゲートウェイ装置で、第１、第２ネットワークを接続する。【選択図】図１
2017006833.tif 000002
【特許請求の範囲】
【請求項１】
少なくとも一部が互いに重複するアドレス空間をそれぞれ有する第１ネットワークと第２ネットワークとを接続するゲートウェイ装置であって、
前記第１ネットワークにおける通信パケットの送受信アドレスを管理する第１のプロトコルスタックと、
前記第２ネットワークにおける通信パケットの送受信アドレスを管理する第２のプロトコルスタックと、
いずれかのネットワークから通信パケットを受信した場合に、該パケットに含まれる呼出先情報に基づいて、該パケットに含まれるペイロードの再送信先ネットワークおよび再送信先アドレスを決定する呼制御部と、
を備えたゲートウェイ装置。
【請求項２】
少なくとも一部が互いに重複するアドレス空間をそれぞれ有する第１ネットワークと第２ネットワークとを接続するゲートウェイ装置であって、
前記第１ネットワークに接続される第１インタフェースと、
前記第２ネットワークに接続される第２インタフェースと、
第１および第２ネットワークに存在する端末の識別情報および該端末にパケットを送信するためのアドレスを対応づけた呼出先テーブルを備え、いずれかのインタフェースから通信パケットを受信した場合に、該パケットに含まれる前記識別情報を含む呼出先情報に基づいて、該パケットに含まれるペイロードの再送信先ネットワークおよび再送信先アドレスを決定する呼制御部と、
を備えたゲートウェイ装置。
【請求項３】
前記第１および第２ネットワークは、ローカル・エリア・ネットワークおよび携帯電話網ネットワークである請求項１または請求項２に記載のゲートウェイ装置。
【請求項４】
前記第１ネットワークおよび前記第２ネットワークには、それぞれ１または複数のサーバが接続され、各サーバは、それぞれ１または複数の配下の通信端末と音声信号を送受信し、
前記呼制御部は、自装置を、前記第１ネットワークおよび第２ネットワークのそれぞれに対して、独立して、
前記サーバが受信した全ての音声信号を集約し、この音声信号を前記通信パケットを用いて各サーバに配信するマスタモード、または、
前記配下の通信端末から受信した音声信号を前記通信パケットを用いてマスタモードの装置（以下、マスタサーバ）に向けて送信するとともに、前記マスタサーバから受信した音声信号を前記配下の通信端末に送信するスレーブモードのいずれかで動作させ、
前記呼制御部は、
マスタモード時に、前記サーバから受信した音声信号をそのサーバを除く他のサーバに転送し、
スレーブモード時に、前記マスタサーバから受信した音声信号を、該マスタサーバと反対側のネットワークにあるサーバに送信するとともに、前記反対側のネットワークのサーバから受信した音声信号を前記マスタサーバに送信する
請求項１乃至請求項３のいずれかに記載のゲートウェイ装置。
【請求項５】
少なくとも一部が互いに重複するアドレス空間をそれぞれ有する第１ネットワークと第２ネットワークとの間で通信パケットを中継する方法であって、
第１ネットワークにおける通信パケットの送受信アドレスを管理する第１のプロトコルスタックを用いて、前記第１ネットワークから通信パケットを受信する手順、
該受信した通信パケットに含まれる呼出先情報に基づいて、該パケットに含まれるペイロードの再送信先アドレスを決定する手順、
決定された再送信先アドレスを持ち前記ペイロードを含むパケットを生成する手順、
第２ネットワークにおける通信パケットの送受信アドレスを管理する第２のプロトコルスタックを用いて、前記第２ネットワークに前記生成されたパケットを送信する手順、
を有する通信パケットの中継方法。
【請求項６】
少なくとも一部が互いに重複するアドレス空間をそれぞれ有する第１ネットワークと第２ネットワークとの間で通信パケットを中継する方法であって、
前記第１ネットワークに接続された第１インタフェースから通信パケットを受信する手順、
該受信した通信パケットに含まれる呼出先情報で、第１および第２ネットワークに存在する端末の識別情報および該端末にパケットを送信するためのアドレスを対応づけた呼出先テーブルを参照して、該パケットに含まれるペイロードの再送信先アドレスを決定する手順、
決定された再送信先アドレスを持ち前記ペイロードを含むパケットを生成する手順、
前記第２ネットワークに接続された第２インタフェースから前記生成されたパケットを送信する手順、
を有する通信パケットの中継方法。
【請求項７】
第１ネットワークに接続され、第１通信端末との間で音声信号を送受信する第１サーバ装置と、
前記第１ネットワークとアドレス空間の少なくとも一部が互いに重複する第２ネットワークに接続され、第２通信端末との間で音声信号を送受信する第２サーバ装置と、
請求項１乃至請求項３に記載のゲートウェイ装置と、
を備えた音声通信システム。
【請求項８】
第１ネットワークに接続された１または複数のサーバと、
前記第１ネットワークとアドレス空間の少なくとも一部が互いに重複する第２ネットワークに接続された１または複数のサーバと、
請求項４に記載のゲートウェイ装置と、
を備え、
各サーバは、それぞれ１または複数の配下の通信端末と音声信号を送受信し、
前記サーバは、前記配下の通信端末から受信した音声信号を前記ゲートウェイ装置に送信するとともに、前記ゲートウェイ装置から受信した音声信号を前記配下の通信端末に送信し、
前記ゲートウェイ装置は、第１、第２ネットワークの両方に対してマスタモードに設定されて、前記サーバから受信した音声信号をそのサーバを除く他のサーバに転送する、
音声通信システム。
【請求項９】
第１ネットワークに接続された１または複数のサーバと、
前記第１ネットワークとアドレス空間の少なくとも一部が互いに重複する第２ネットワークに接続された１または複数のサーバと、
請求項４に記載のゲートウェイ装置と、
を備え、
前記各サーバが、それぞれ１または複数の配下の通信端末と音声信号を送受信する音声通信システムであって、
前記第１ネットワークのサーバのうち一つが第１マスタサーバとして設定され、他のサーバが第１スレーブサーバとして設定され、前記第２ネットワークのサーバが第２スレーブサーバとして設定され、
前記ゲートウェイ装置が、第１ネットワークに対してはスレーブモードに設定され第２ネットワークに対してはマスタモードに設定され、
前記第１マスタサーバは、前記第１スレーブサーバが受信した全ての音声信号を集約し、この音声信号を通信パケットを用いて第１スレーブサーバおよび前記ゲートウェイ装置に配信し、
前記第１スレーブサーバは、前記配下の通信端末から受信した音声信号を前記通信パケットを用いて前記第１マスタサーバに送信するとともに、前記第１マスタサーバから受信した音声信号をその通信端末を除く前記配下の通信端末に送信し、
前記第２スレーブサーバは、配下の通信端末から受信した音声信号を前記通信パケットを用いて前記ゲートウェイ装置に送信するとともに、その通信端末を除く配下の端末装置に転送し、
前記ゲートウェイ装置から受信した音声信号を、配下の通信端末に転送し、
前記ゲートウェイ装置は、
前記第１マスタサーバから受信した音声信号を、前記第２スレーブサーバに送信し、
前記第２スレーブサーバから受信した音声信号を、そのスレーブサーバを除く第２スレーブサーバ、および、前記第１マスタサーバに送信する
音声通信システム。
【請求項１０】
第１ネットワークに接続された１または複数のサーバと、
前記第１ネットワークとアドレス空間の少なくとも一部が互いに重複する第２ネットワークに接続された１または複数のサーバと、
請求項４に記載のゲートウェイ装置と、
を備え、前記各サーバが、それぞれ１または複数の配下の通信端末と音声信号を送受信する通信システムであって、
前記ゲートウェイ装置がマスタモードに設定され、前記複数のサーバがスレーブモードに設定され、
２台以上の通信端末が所属するグループで該所属する通信端末が相互に通信するグループ通信時に、
前記スレーブモードのサーバは、
配下の通信端末から受信した音声信号を、その通信端末を除く配下の前記グループに所属する端末装置および前記ゲートウェイ装置に転送するとともに、
前記ゲートウェイ装置から受信した音声信号を、配下の前記グループに所属するの通信端末に転送し、
前記ゲートウェイ装置は、
前記サーバから受信した音声信号を、そのサーバを除く前記グループに所属する通信端末を管理するサーバに送信する
音声通信システム。
【請求項１１】
第１ネットワークに接続された１または複数のサーバと、
前記第１ネットワークとアドレス空間の少なくとも一部が互いに重複する第２ネットワークに接続された１または複数のサーバと、
請求項４に記載のゲートウェイ装置と、
を備え、前記各サーバが、それぞれ１または複数の配下の通信端末と音声信号を送受信する通信システムであって、
前記第１ネットワークのサーバのうち一つが第１マスタサーバとして設定され、他のサーバが第１スレーブサーバとして設定され、前記第２ネットワークのサーバが第２スレーブサーバとして設定され、
前記ゲートウェイ装置が、第１ネットワークに対してはスレーブモードに設定され第２ネットワークに対してはマスタモードに設定され、
２台以上の通信端末が所属するグループで該所属する通信端末が相互に通信するグループ通信時に、
前記第１スレーブサーバは、
配下の通信端末から受信した音声信号を、その通信端末を除く配下の前記グループに所属する端末装置、および、前記第１マスタサーバに転送し、
前記第１マスタサーバから受信した音声信号を、配下の前記グループに所属する通信端末に転送し、
前記第１マスタサーバは、
配下の通信端末から受信した音声信号を、その通信端末を除く配下の前記グループに所属する通信端末、および、前記グループに所属する通信端末を管理する第１スレーブサーバに転送し、
前記第１スレーブサーバから受信した音声信号を、そのスレーブサーバを除く前記グループに所属する通信端末を管理する第１スレーブサーバ、および、配下の前記グループに所属する通信端末に転送し、
前記グループに所属する通信端末が第２ネットワークにある場合、前記音声信号を前記ゲートウェイ装置に送信し、
前記第２スレーブサーバは、
配下の通信端末から受信した音声信号を、その通信端末を除く配下の前記グループに所属する端末装置、および、前記ゲートウェイ装置に転送し、
前記ゲートウェイ装置から受信した音声信号を、配下の前記グループに所属する通信端末に転送し、
前記ゲートウェイ装置は、
前記第１マスタサーバから受信した音声信号を、前記グループに所属する通信端末を管理する第２スレーブサーバに送信し、
前記第２スレーブサーバから受信した音声信号を、そのスレーブサーバを除く前記グループに所属する通信端末を管理する第２スレーブサーバ、および、前記第１マスタサーバに送信する
音声通信システム。
【請求項１２】
第１ネットワークに接続された１または複数のサーバと、
前記第１ネットワークとアドレス空間の少なくとも一部が互いに重複する第２ネットワークに接続された１または複数のサーバと、
請求項４に記載のゲートウェイ装置と、
を備え、前記各サーバが、それぞれ１または複数の配下の通信端末と音声信号を送受信する通信システムであって、
前記第１ネットワークのサーバのうち一つが第１マスタサーバとして設定され、他のサーバが第１スレーブサーバとして設定され、
前記第２ネットワークのサーバのうち一つが第２マスタサーバとして設定され、他のサーバが第２スレーブサーバとして設定され、
２台以上の通信端末が所属するグループで該所属する通信端末が相互に通信するグループ通信時に、
前記第１スレーブサーバは、
配下の通信端末から受信した音声信号を、その通信端末を除く配下の前記グループに所属する端末装置、および、前記第１マスタサーバに転送し、
前記第１マスタサーバから受信した音声信号を、配下の前記グループに所属する通信端末に転送し、
前記第１マスタサーバは、
配下の通信端末から受信した音声信号を、その通信端末を除く配下の前記グループに所属する通信端末、および、前記グループに所属する通信端末を管理する第１スレーブサーバに転送し、
前記第１スレーブサーバから受信した音声信号を、そのスレーブサーバを除く前記グループに所属する通信端末を管理する第１スレーブサーバ、および、配下の前記グループに所属する通信端末に転送し、
前記グループに所属する通信端末が第２ネットワークにある場合、前記音声信号を前記ゲートウェイ装置に送信し、
前記第２スレーブサーバは、
配下の通信端末から受信した音声信号を、その通信端末を除く配下の前記グループに所属する端末装置、および、前記第２マスタサーバに転送し、
前記第２マスタサーバから受信した音声信号を、配下の前記グループに所属する通信端末に転送し、
前記第２マスタサーバは、
配下の通信端末から受信した音声信号を、その通信端末を除く配下の前記グループに所属する通信端末、および、前記グループに所属する通信端末を管理する第２スレーブサーバに転送し、
前記第２スレーブサーバから受信した音声信号を、そのスレーブサーバを除く前記グループに所属する通信端末を管理する第２スレーブサーバ、および、配下の前記グループに所属するの通信端末に転送し、
前記グループに所属する通信端末が第１ネットワークにある場合、前記音声信号を前記ゲートウェイ装置に送信し、
前記ゲートウェイ装置は、
第１、第２ネットワークの両方に対してスレーブモードに設定されて、前記第１マスタサーバから受信した音声信号を前記第２マスタサーバに送信し、
前記第２マスタサーバから受信した音声信号を前記第１マスタサーバに送信する
音声通信システム。
【発明の詳細な説明】
【技術分野】
【０００１】
この発明は、ネットワークを用いた音声通信システムに関し、特に複数のネットワークを接続した音声通信を中継する技術に関する。
【背景技術】
【０００２】
従来のハンディトランシーバーに似た操作感でローカル・エリア・ネットワーク（ＬＡＮ）を用いた通信を行うＬＡＮトランシーバシステムが実用化されている（例えば特許文献１）。このシステムは、１セグメントのＬＡＮを用いて音声信号を転送するシステムであり、各機器には、そのＬＡＮ内で有効なプライベートアドレスが割り当てられる。
【先行技術文献】
【特許文献】
【０００３】
【特許文献１】国際公開ＷＯ／２０１５／０６８６６３公報
【発明の概要】
【発明が解決しようとする課題】
【０００４】
上述のＬＡＮを用いた音声通信システムであっても通信範囲を広げるために、異なるネットワークを接続してシステムを構築したい場合がある。ＬＡＮトランシーバシステムは、プライベートアドレスを用いるＬＡＮ上のシステムとして構築される。インターネットプロトコル（ＩＰ）において、プライベートアドレスは、そのアドレス範囲が決められているため、接続される２つのネットワークのアドレス空間が重複し、各ネットワークに存在する機器のプライベートアドレスが重複する可能性がある。このような場合、どちらかのネットワークの機器のアドレスを変更して重なりが生じないようにすればよいが、アドレスの管理が極めて面倒である。また、それぞれのネットワークにＮＡＴルータを設けて、アドレスの変換すれば２つのネットワークを相互に接続することができるがＮＡＴルータが各ネットワークごとに必要であるため、構成が複雑になるうえ、設定が面倒である。【０００５】
そこで、この発明の目的は、重複するアドレス空間を使用する２つのネットワーク間で通信を行う音声通信システムを実現することにある。
【課題を解決するための手段】
【０００６】
本発明は、少なくとも一部が互いに重複するアドレス空間をそれぞれ有する第１ネットワークと第２ネットワークとを接続するゲートウェイ装置であって、第１ネットワークにおける通信パケットの送受信アドレスを管理する第１のプロトコルスタックと、第２ネットワークにおける通信パケットの送受信アドレスを管理する第２のプロトコルスタックと、いずれかのネットワークから通信パケットを受信した場合に、該パケットに含まれる呼出先情報に基づいて該パケットに含まれるペイロードの再送信先ネットワークおよび再送信先アドレスを決定する呼制御部と、を備えたことを特徴とする。【０００７】
本発明は、少なくとも一部が互いに重複するアドレス空間をそれぞれ有する第１ネットワークと第２ネットワークとを接続するゲートウェイ装置であって、第１ネットワークに接続される第１インタフェースと、第２ネットワークに接続される第２インタフェースと、第１および第２ネットワークに存在する端末の識別情報および該端末にパケットを送信するためのアドレスを対応づけた呼出先テーブルを備え、いずれかのインタフェースから通信パケットを受信した場合に、該パケットに含まれる識別情報を含む呼出先情報に基づいて、該パケットに含まれるペイロードの再送信先ネットワークおよび再送信先アドレスを決定する呼制御部と、を備えたことを特徴とする。【０００８】
上記発明において、第１および第２ネットワークは、ローカル・エリア・ネットワークおよび携帯電話網ネットワークであってもよい。【０００９】
上記発明において、前記第１ネットワークおよび前記第２ネットワークには、それぞれ１または複数のサーバが接続され、各サーバは、それぞれ１または複数の配下の通信端末と音声信号を送受信してもよい。呼制御部は、このゲートウェイ装置を、第１ネットワークおよび第２ネットワークのそれぞれに対して独立して、マスタモードまたはスレーブモードに設定して動作させる。マスタモードでは、サーバが受信した全ての音声信号を集約し、この音声信号を通信パケットを用いて各サーバに配信する。スレーブモードでは、配下の通信端末から受信した音声信号を通信パケットを用いてマスタモードの装置（マスタサーバ）に向けて送信するとともに、マスタサーバから受信した音声信号を配下の通信端末に送信する。呼制御部は、マスタモード時に、サーバから受信した音声信号をそのサーバを除く他のサーバに転送し、スレーブモード時に、マスタサーバから受信した音声信号を、マスタサーバと反対側のネットワークにあるサーバに送信するとともに、反対側のネットワークのサーバから受信した音声信号を前記マスタサーバに送信する。【００１０】
本発明は、少なくとも一部が互いに重複するアドレス空間をそれぞれ有する第１ネットワークと第２ネットワークとの間で通信パケットを中継する方法であって、第１ネットワークにおける通信パケットの送受信アドレスを管理する第１のプロトコルスタックを用いて第１ネットワークから通信パケットを受信する手順、受信した通信パケットに含まれる呼出先情報に基づいて該パケットに含まれるペイロードの再送信先アドレスを決定する手順、決定された再送信先アドレスを持ち前記ペイロードを含むパケットを生成する手順、第２ネットワークにおける通信パケットの送受信アドレスを管理する第２のプロトコルスタックを用いて第２ネットワークに生成されたパケットを送信する手順、を有することを特徴とする。【００１１】
本発明は、少なくとも一部が互いに重複するアドレス空間をそれぞれ有する第１ネットワークと第２ネットワークとの間で通信パケットを中継する方法であって、第１ネットワークに接続された第１インタフェースから通信パケットを受信する手順、受信した通信パケットに含まれる呼出先情報で第１および第２ネットワークに存在する端末の識別情報および端末にパケットを送信するためのアドレスを対応づけた呼出先テーブルを参照して該パケットに含まれるペイロードの再送信先アドレスを決定する手順、決定された再送信先アドレスを持ち前記ペイロードを含むパケットを生成する手順、第２ネットワークに接続された第２インタフェースから生成されたパケットを送信する手順、を有することを特徴とする。【００１２】
本発明の音声通信システムは、第１ネットワークに接続され、第１通信端末との間で音声信号を送受信する第１サーバ装置と、第１ネットワークとアドレス空間の少なくとも一部が互いに重複する第２ネットワークに接続され、第２通信端末との間で音声信号を送受信する第２サーバ装置と、上記ゲートウェイ装置と、を備えたことを特徴とする。【００１３】
本発明の音声通信システムは、第１ネットワークに接続された１または複数のサーバと、第１ネットワークとアドレス空間の少なくとも一部が互いに重複する第２ネットワークに接続された１または複数のサーバと、第１、第２ネットワークの両方に対してマスタモードで動作する上記ゲートウェイ装置とを備える。各サーバは、それぞれ１または複数の配下の通信端末と音声信号を送受信する。サーバは、配下の通信端末から受信した音声信号をゲートウェイ装置に送信するとともにゲートウェイ装置から受信した音声信号を配下の通信端末に送信する。ゲートウェイ装置は、サーバから受信した音声信号をそのサーバを除く他のサーバに転送する。【００１４】
本発明の音声通信システムは、第１ネットワークに接続された１または複数のサーバと、第１ネットワークとアドレス空間の少なくとも一部が互いに重複する第２ネットワークに接続された１または複数のサーバと、第１ネットワークに対してはスレーブモードで動作し、第２ネットワークに対してはマスタモードで動作する上記ゲートウェイ装置とを備える。第１ネットワークのサーバのうち一つが第１マスタサーバとして設定され、他のサーバが第１スレーブサーバとして設定され、第２ネットワークのサーバが第２スレーブサーバとして設定される。第１マスタサーバは、第１スレーブサーバが受信した全ての音声信号を集約し、この音声信号を通信パケットを用いて第１スレーブサーバおよびゲートウェイ装置に配信する。第１スレーブサーバは、配下の通信端末から受信した音声信号を通信パケットを用いて第１マスタサーバに送信するとともに、第１マスタサーバから受信したその通信端末を除く音声信号を配下の通信端末に送信する。第２スレーブサーバは、配下の通信端末から受信した音声信号を通信パケットを用いてゲートウェイ装置に送信するとともに、その通信端末を除く配下の端末装置に転送するとともに、ゲートウェイ装置から受信した音声信号を配下の通信端末に転送する。ゲートウェイ装置は、第１マスタサーバから受信した音声信号を第２スレーブサーバに送信し、第２スレーブサーバから受信した音声信号を、そのスレーブサーバを除く第２スレーブサーバおよび第１マスタサーバに送信する。【００１５】
本発明の音声通信システムは、第１ネットワークに接続された１または複数のスレーブモードのサーバと、第１ネットワークとアドレス空間の少なくとも一部が互いに重複する第２ネットワークに接続された１または複数のスレーブモードのサーバと、マスタモードで動作する上記ゲートウェイ装置とを備え、各サーバが、それぞれ１または複数の配下の通信端末と音声信号を送受信する。２台以上の通信端末が所属するグループで前記該所属する通信端末が相互に通信するグループ通信時に、サーバおよびゲートウェイ装置は以下のように動作する。サーバは、配下の通信端末から受信した音声信号を、その通信端末を除く配下のグループに所属する端末装置およびゲートウェイ装置に転送し、ゲートウェイ装置から受信した音声信号を配下のグループに所属する通信端末に転送する。ゲートウェイ装置は、サーバから受信した音声信号をそのサーバを除く、グループに所属する通信端末を管理するサーバに送信する。【００１６】
本発明の音声通信システムは、第１ネットワークに接続された１または複数のサーバと、第１ネットワークとアドレス空間の少なくとも一部が互いに重複する第２ネットワークに接続された１または複数のサーバと、スレーブモードで動作する上記ゲートウェイ装置とを備え、各サーバが、それぞれ１または複数の配下の通信端末と音声信号を送受信する。第１ネットワークのサーバのうち一つが第１マスタサーバとして設定され、他のサーバが第１スレーブサーバとして設定される。第２ネットワークのサーバが第２スレーブサーバとして設定される。ゲートウェイ装置が、第１ネットワークに対してはスレーブモードに設定され第２ネットワークに対してはマスタモードに設定される。２台以上の通信端末が所属するグループで該所属する通信端末が相互に通信するグループ通信時に、各サーバおよびゲートウェイ装置は以下のように動作する。
第１スレーブサーバは、配下の通信端末から受信した音声信号を、その通信端末を除く配下の前記グループに所属する端末装置、および、第１マスタサーバに転送する。第１スレーブサーバは、第１マスタサーバから受信した音声信号を、配下のグループに所属する通信端末に転送する。
第１マスタサーバは、配下の通信端末から受信した音声信号を、その通信端末を除く配下のグループに所属する通信端末、および、グループに所属する通信端末を管理する第１スレーブサーバに転送する。第１マスタサーバは、第１スレーブサーバから受信した音声信号を、そのスレーブサーバを除くグループに所属する通信端末を管理する第１スレーブサーバ、および、配下のグループに所属する通信端末に転送する。第１マスタサーバは、グループに所属する通信端末が第２ネットワークにある場合、音声信号をゲートウェイ装置に送信する。
第２スレーブサーバは、配下の通信端末から受信した音声信号を、その通信端末を除く配下のグループに所属する端末装置、および、ゲートウェイ装置に転送する。第２スレーブサーバは、ゲートウェイ装置から受信した音声信号を、配下の前記グループに所属する通信端末に転送する。
ゲートウェイ装置は、第１マスタサーバから受信した音声信号を、グループに所属する通信端末を管理する第２スレーブサーバに送信する。ゲートウェイ装置は、第２スレーブサーバから受信した音声信号を、そのスレーブサーバを除くグループに所属する通信端末を管理する第２スレーブサーバ、および、第１マスタサーバに送信する。【００１７】
本発明の音声通信システムは、第１ネットワークに接続された１または複数のサーバと、第１ネットワークとアドレス空間の少なくとも一部が互いに重複する第２ネットワークに接続された１または複数のサーバと、スレーブモードで動作する上記ゲートウェイ装置とを備え、各サーバが、それぞれ１または複数の配下の通信端末と音声信号を送受信する。第１ネットワークのサーバのうち一つが第１マスタサーバとして設定され、他のサーバが第１スレーブサーバとして設定される。第２ネットワークのサーバのうち一つが第２マスタサーバとして設定され、他のサーバが第２スレーブサーバとして設定される。２台以上の通信端末が所属するグループで該所属する通信端末が相互に通信するグループ通信時に、各サーバおよびゲートウェイ装置は以下のように動作する。
第１スレーブサーバは、配下の通信端末から受信した音声信号を、その通信端末を除く配下のグループに所属する端末装置および第１マスタサーバに転送する。第１スレーブサーバは、第１マスタサーバから受信した音声信号を配下のグループに所属する通信端末に転送する。
第１マスタサーバは、配下の通信端末から受信した音声信号を、その通信端末を除く配下のグループに所属する通信端末、および、グループに所属する通信端末を管理する第１スレーブサーバに転送する。第１マスタサーバは、第１スレーブサーバから受信した音声信号を、その第１スレーブサーバを除くグループに所属する通信端末を管理する第１スレーブサーバ、および、配下のグループに所属する通信端末に転送する。第１マスタサーバは、グループに所属する通信端末が第２ネットワークにある場合、送信すべき音声信号をゲートウェイ装置に送信する。
第２スレーブサーバは、配下の通信端末から受信した音声信号を、その通信端末を除く配下のグループに所属する端末装置および第２マスタサーバに転送する。第２スレーブサーバは、第２マスタサーバから受信した音声信号を配下のグループに所属する通信端末に転送する。
第２マスタサーバは、配下の通信端末から受信した音声信号を、その通信端末を除く配下のグループに所属する通信端末、および、グループに所属する通信端末を管理する第２スレーブサーバに転送する。第２マスタサーバは、第２スレーブサーバから受信した音声信号を、その第２スレーブサーバを除くグループに所属する通信端末を管理する第２スレーブサーバ、および、配下のグループに所属する通信端末に転送する。第２マスタサーバは、グループに所属する通信端末が第１ネットワークにある場合、送信すべき音声信号をゲートウェイ装置に送信する。
ゲートウェイ装置は、第１マスタサーバから受信した音声信号を第２マスタサーバに送信するとともに、第２マスタサーバから受信した音声信号を第１マスタサーバに送信する。
【発明の効果】
【００１８】
この発明によれば、アドレス空間が重複する２つのネットワークを接続して、ネットワークを越えた音声通信が可能になる。
【図面の簡単な説明】
【００１９】
【図１】図１は、この発明の実施形態である音声通信システムの構成図である。
【図２】図２は、ゲートウェイ、ＬＡＮサーバおよびＬＴＥサーバの機能ブロック図である。
【図３】図３は、音声パケットの構成の一例を示す図である。
【図４】図４は、ＬＡＮ通信端末のブロック図である。
【図５】図５は、ゲートウェイに設けられる呼出先テーブルを示す図である。
【図６】図６は、ＬＴＥサーバに設けられる呼出先テーブルを示す図である。
【図７】図７は、ＬＡＮサーバ（Ｓ１）に設けられる呼出先テーブルを示す図である。
【図８】図８は、ＬＡＮサーバ（Ｓ２）に設けられる呼出先テーブルを示す図である。
【図９】図９は、音声信号の転送手順を説明する図である。
【図１０】図１０は、ゲートウェイ（Ｇ）がマスタサーバとして機能する場合の音声信号の流れを示す図である。
【図１１】図１１は、ＬＡＮサーバ（Ｓ１）がマスタサーバとして機能する場合の音声信号の流れを示す図である。
【図１２】図１２は、各サーバの呼出先テーブルの例を示す図である。
【図１３】図１３は、ＬＡＮサーバ（Ｓ１）がマスタサーバとして構成された音声通信システムでグループ通信が行われた場合の音声信号の流れを示す図である。
【発明を実施するための形態】
【００２０】
図面を参照してこの発明の音声通信システムについて説明する。図１は、この発明の実施形態である音声通信システムの構成図である。この音声通信システムは、Ｗｉ−Ｆｉなどの無線ＬＡＮ１６を用いたＬＡＮ側システム１０と携帯電話の通信ネットワークであるＬＴＥ２１を用いたＬＴＥ側システム２０とをゲートウェイ１２で接続したものであり、それぞれのシステムに属する通信端末１４、２４が相互に音声通信をする。
【００２１】
ＬＡＮ側システム１０は、ＬＡＮサーバ１１およびＬＡＮ通信端末１４を有している。ＬＡＮ通信端末１４およびＬＴＥ通信端末２４は、ほぼ同様の構成であり、ともにＰＴＴ（プッシュ・トゥ・トーク）スイッチを備えた無線通信用のハンディトランシーバに似た形状をしているが、機能的には無線アクセスポイント（ＡＰ）１３または基地局２３を介して音声信号を送受信する無線ネットワーク機器である。中継装置であるＬＡＮサーバ１１およびＬＴＥサーバ２２は、ＬＡＮ通信端末１４およびＬＴＥ通信端末２４の相互の通信を中継する。以下、ＬＡＮ側システム１０の有線ネットワーク１５および無線ＬＡＮ１６を総称してネットワーク１７と呼び、ＬＴＥ側システム２０のネットワークをＬＴＥネットワーク２１と呼ぶ。無線ＬＡＮ１６としては、Ｗｉ−ＦｉなどＩＥＥＥ８０２．１１に準拠した通信方式などが適用可能である。
【００２２】
図１では、有線ネットワーク１５に２台のサーバ装置１１、ゲートウェイ１２およびＳＩＰサーバ１９が接続されている。ＬＡＮ側システム１０およびＬＴＥ側システム２０の両方において、ゲートウェイ１２が音声信号の転送先を制御するマスタサーバとして機能する。ここで、音声信号の転送とは、受信した音声パケットにペイロードとして含まれていた音声信号を送信先のネットワークに合わせた音声パケットに含めて送信する処理である。複数の音声パケットを受信し、それらのペイロードであった複数の音声信号を同じ送信先に送信する場合には、これらの音声信号をミキシングした信号を、送信される音声パケットにペイロードとして含める。そして、２台のサーバ装置１１が、マスタサーバであるゲートウェイ１２から転送された音声信号をＬＡＮ通信端末１４に転送するスレーブサーバ装置Ｓ１、スレーブサーバ装置Ｓ２として機能する。スレーブサーバＳ１は、無線アクセスポイント１３を介して、端末ＩＤが００１のＬＡＮ通信端末１４と通信し、このＬＡＮ通信端末１４を配下端末として管理する。スレーブサーバ装置Ｓ２は、無線アクセスポイント１３を介して、端末ＩＤが０１１のＬＡＮ通信端末１４と通信し、このＬＡＮ通信端末１４を配下端末として管理する。
【００２３】
なお、この実施形態では、ゲートウェイ１２がＬＡＮ側システム１０およびＬＴＥ側システム２０の両方に対してマスタサーバとしてセットアップされているが、ＬＡＮサーバ１１および／またはＬＴＥサーバ２２がマスタサーバとしてセットアップされてもよい。サーバ装置１１，２２がマスタサーバとしてセットアップされた場合、ゲートウェイ１２はその側のシステム１０，２０に対してはスレーブモード（スレーブサーバとして）動作する。また、ＬＡＮ側システム１０において、ＬＡＮサーバ１１は２台に限定されず、１台であっても３台以上であってもよい。また、３以上のセグメントを接続したシステムを構成する場合、ゲートウェイ１２が２台以上であってもよい。
【００２４】
一方、ＬＴＥ側システム２０では、ＬＴＥサーバ２２が、ＬＴＥネットワーク２１を介して、端末ＩＤが０２１，０２２のＬＴＥ通信端末２４と通信し、これらのＬＴＥ通信端末２４を配下端末として管理する。
【００２５】
なお、図１に示すように、ＬＡＮ側システム１０、ＬＴＥ側システム２０の各機器にはそれぞれネットワーク１７のプライベートＩＰアドレスおよびＬＴＥネットワーク２１のプライベートＩＰアドレスが付されている。それぞれのアドレス空間は少なくとも一部は互いに重なり合っており、両システム１０、２０の一部の機器同士は、同じＩＰアドレスを有している。
【００２６】
図２は、ＬＡＮサーバ１１、ゲートウェイ１２およびＬＴＥサーバ２２の機能ブロック図である。ＬＡＮサーバ１１は、呼制御部１００、ＬＡＮ端末インタフェース１０１、ミキサ１０２、他拠点インタフェース１０３を有している。呼制御部１００は、受信したパケットの通信制御情報に基づいてその音声パケットに含まれている音声信号の転送先を制御する。同じ宛先に複数の音声信号を送信する場合は、それらの音声信号をミキシングするようミキサ１０２に指示する。ＬＡＮ端末インタフェース１０１はＬＡＮ通信端末１４と通信するためのインタフェースである。また、他拠点インタフェース１０３は、ゲートウェイ１２および他のＬＡＮサーバ１１と通信するためのインタフェースである。ＬＡＮ端末インタフェース１０１および他拠点インタフェース１０３では、ネットワーク１７を含む物理層およびプロトコルスタック１０４が共通に用いられる。プロトコルスタック１０４は、ＳＩＰ手順を用いない直接的な音声信号の転送を行うアプリケーションを有している。
【００２７】
また、ＬＴＥサーバ２２も同様に、呼制御部１２０、ＬＴＥ端末インタフェース１２１、ミキサ１２２、他拠点インタフェース１２３を有している。ＬＴＥ端末インタフェース１２１はＬＴＥ通信端末２４と通信するためのインタフェースである。また、他拠点インタフェース１２３は、ゲートウェイ１２と通信するためのインタフェースである。呼制御部１２０は、受信したパケットの通信制御情報に基づいてその音声パケットに含まれている音声信号の転送先を制御する。同じ宛先に複数の音声信号を送信する場合は、それらの音声信号をミキシングするようミキサ１２２に指示する。ＬＴＥ端末インタフェース１２１および他拠点インタフェース１２３では、ＬＴＥネットワーク２１を含む物理層およびプロトコルスタック１２４が共通に用いられる。プロトコルスタック１２４は、ＬＴＥネットワーク２１上のＴＣＰ／ＩＰおよびＳＩＰ手順を用いない直接的な音声信号の転送を行うアプリケーションを有している。
【００２８】
ゲートウェイ１２は、ＬＡＮサーバ１１（ＬＡＮ側システム１０）とＬＴＥサーバ２２（ＬＴＥ側システム２０）とを接続する。ゲートウェイ１２は、ＬＡＮサーバ１１と通信する（ＬＡＮ側の）他拠点インタフェース１１２、ＬＴＥサーバ２２と通信する（ＬＴＥ側の）他拠点インタフェース１１４、呼制御部１１０およびミキサ１１１を有している。ＬＡＮ側の他拠点インタフェース１１２は、ネットワーク１７を介してＬＡＮサーバ１１と通信するためのプロトコルスタック１１３を有している。このプロトコルスタック１１３は、ＬＡＮサーバ１１のプロトコルスタック１０４とほぼ同様のものである。また、ＬＴＥ側の他拠点インタフェース１１４は、ＬＴＥネットワーク２１を介してＬＴＥサーバ２２と通信するためのプロトコルスタック１１５を有している。このプロトコルスタック１１５は、ＬＴＥサーバ２２のプロトコルスタック１２４とほぼ同様のものである。他拠点インタフェース１１２、１１４から入力された音声パケットに含まれている音声信号はミキサ１１１でミキシングされ、反対側の他拠点インタフェースまたは同じ側の他拠点インタフェースから送信される音声パケットに再編集される。音声信号をどちら側の他拠点インタフェースすなわちどのサーバに転送するかは、受信した音声パケットに含まれている通信制御情報に基づいて呼制御部１１０が判断する。なお、ＬＴＥ側の他拠点インタフェース１１４は、携帯電話と共通の通信チャンネルを用いる無線（ＬＴＥ）インタフェースである。
【００２９】
ゲートウェイ１２の呼制御部１１０は、コンピュータと通信アプリケーションプログラムの協働で実現されている。通信アプリケーションプログラムは、呼び出すサーバのインタフェースを判断するプログラム、ＬＴＥサーバ２２およびＬＡＮサーバ１１と通信するためのサーバプログラムを含んでいる。
【００３０】
図３を参照して、この音声通信システムで用いられる音声パケットの構成を説明する。音声パケットは、宛先ＩＰアドレス、宛先ポート番号、発信元ＩＰアドレスおよび発信元ポート番号を含むヘッダ情報、および音声データや通信制御情報を含むデータ本体（ペイロード）を有している。音声データはデジタル化され圧縮された１スレッド（例えば２０ミリ秒）分の音声信号である。宛先ＩＰアドレスおよび発信元ＩＰアドレスは、この音声パケットの直接の宛先と送信元を示すＩＰアドレスである。通信制御情報は、どの通信端末とどの通信端末とが通信をしているかを示す通信セッションを識別する情報であり、呼出種別、呼出先ＩＤ、発信元ＩＤを含んでいる。呼出種別は、通信の形態を示す情報であり、個別通信／グループ通信／全体通信のいずれかを示す情報である。呼出先ＩＤは、個別通信の場合、通信相手の端末番号であり、グループ通信の場合、グループ番号である。
【００３１】
たとえば、ＬＴＥ通信端末２４（０２１）からＬＡＮ通信端末１４（００１）を呼び出して通信する場合、通信制御情報の呼出先ＩＤおよび発信元ＩＤにはそれぞれ００１、０２１が記載される。音声信号は、ＬＴＥ通信端末２４（０２１）→ＬＴＥサーバ２２→ゲートウェイ１２→ＬＡＮサーバ１１（Ｓ１）→ＬＡＮ通信端末１４（００１）と転送されるが、各転送の都度、その音声信号を含む音声パケットが新たに編集され、そのときの発信元ＩＰアドレスと宛先ＩＰアドレスが記載される。なお、この転送順は、ゲートウェイ１２がマスタサーバである場合の順序を示しているが、他のＬＡＮサーバ１１がマスタサーバとして設定されている場合は、ゲートウェイ１２は、まずマスタサーバに音声信号を転送し、マスタサーバがＬＡＮサーバ１１（Ｓ１）にその音声信号を転送する。ただし、ＬＡＮサーバＳ１がマスタサーバの場合には上記の順序で良い。
【００３２】
ゲートウェイ１２およびＬＡＮサーバ１１は、ＬＡＮ通信端末１４や他のサーバ１１、２２から音声信号を受信すると、この音声信号からデータ本体を取り出し、通信制御情報に基づいて音声データの転送先を決定し、新たな音声信号を作成して転送先へ送信する。このとき、必要に応じて複数の音声データをミキシングする処理などを行う。
【００３３】
図４は、ＬＡＮ通信端末１４のブロック図である。上述したように、ＬＡＮ通信端末１４は、機能的には、無線ＬＡＮの無線アクセスポイント（ＡＰ）１３を介して音声信号を送受信する無線ネットワーク機器である。装置の動作を制御する制御部４０はマイクロプロセッサで構成される。制御部４０は、各種のデータが記憶される記憶部４１を有している。記憶部４１には、この端末装置で通信可能な呼出先ＩＤなどの設定データが記憶される。制御部４０には、操作部４２、表示部４３、オーディオ回路４４および無線ＬＡＮ通信部４５が接続されている。操作部４２は、ＰＴＴスイッチ２２０などのキースイッチを含み、ユーザの操作を受け付けてその操作信号を制御部４０に入力する。表示部４３は液晶ディスプレイを含む。液晶ディスプレイには、ユーザの操作によって選択された通信相手の識別番号や着信した通信相手の識別番号などが表示される。
【００３４】
また、オーディオ回路４４は、マイク２４０およびスピーカ２４１を有している。制御部４０は、受信した音声信号をデコードしてオーディオ回路４４に入力する。オーディオ回路は、このデコードされたオーディオ信号をアナログ信号に変換してスピーカ２４１から出力する。また、オーディオ回路４４は、マイク２４０から入力された音声信号をデジタル信号に変換して制御部４０に入力する。制御部４０は、このデジタルオーディオ信号を音声パケット化して無線ＬＡＮ通信部４５に入力する。無線ＬＡＮ通信部４５は、上述のＩＥＥＥ８０２．１１に準拠した通信方式で無線通信を行う回路を有し、制御部４０から入力されたパケットを無線アクセスポイント１３に向けて送信するとともに、無線アクセスポイント１３から受信したパケットを制御部４０に入力する。
【００３５】
以上の構成のＬＡＮ通信端末１４において、ユーザがＰＴＴスイッチ２２０を押しながらマイク２４０に向けて音声を入力すると、ＬＡＮ通信端末１４は、この音声信号を音声パケットに編集してＬＡＮサーバ１１に送信する。
【００３６】
図４では、ＬＡＮ通信端末１４について説明したが、ＬＴＥ通信端末２４もほぼ同様の構成をしている。ＬＴＥ通信端末２４は、無線ＬＡＮ通信部４５に代えてＬＴＥ通信部を有している。
【００３７】
図５、図６、図７および図８は、それぞれゲートウェイ１２、ＬＴＥサーバ２２、および、ＬＡＮサーバ１１（Ｓ１，Ｓ２）に設けられる呼出先テーブルを示す図である。ＬＴＥサーバ２２およびＬＡＮサーバ１１は、配下の通信端末１４、２４から音声パケットを受信したとき、この音声パケットに含まれる音声信号をマスタサーバであるゲートウェイ１２に転送する。ゲートウェイ１２は、サーバ１１、２２から音声パケットを受信したとき、その音声パケットの通信制御情報に含まれる通信種別および呼出先ＩＤで図５のテーブルを検索することにより、その音声パケットに含まれる音声信号（ペイロード）の転送先であるサーバを割り出し、その転送先に音声信号を転送する。このとき、その転送先のネットワークに合わせたプロトコルで音声パケットが編集され、この音声パケットを用いて音声信号が転送される。なお、ゲートウェイ１２以外のＬＡＮサーバ１１がマスタサーバとして設定されている場合、音声信号はそのマスタサーバを経由してゲートウェイ１２に転送される。
【００３８】
呼出先テーブルには、呼出種別、呼出先ＩＤ、所属端末情報、他拠点情報（サーバ情報）が含まれる。呼出種別は、個別呼出／グループ呼出／全体呼出を区別する情報である。呼出先ＩＤは、通信相手の端末１４、２４またはグループを識別する情報である。個別呼出の場合には、通信先の端末装置１４の識別情報である端末ＩＤが呼出先ＩＤになる。すなわち、呼出先ＩＤと端末情報が同じである。グループ呼出の場合には、そのグループに付されているグループ番号（この実施形態の場合１で始まる番号）が呼出先ＩＤになる。所属端末情報および他拠点情報は、音声信号の転送先を示す情報である。なお、マスタサーバ（この実施形態ではゲートウェイ１２）の呼出先テーブルの所属端末情報には自己の配下でない通信端末を含めてそのグループに所属する全ての通信端末の番号が登録されていてもよい。
【００３９】
図５は、ゲートウェイ１２の呼出先テーブルを示している。ゲートウェイ１２の呼出先テーブルには、他拠点情報としてＬＡＮ側他拠点情報およびＬＴＥ側他拠点情報が別々に記憶される。ゲートウェイ１２は配下の通信端末を持たないため、全ての呼出先ＩＤに対応する所属端末情報は空欄である。音声信号は、他拠点情報に基づいて他のサーバ１１，２２に転送される。なお、ここで他拠点情報（ＬＳ、Ｓ１，Ｓ２）は、各サーバのＩＰアドレスおよびポート番号を含んでいる。ＬＡＮ側システム１０とＬＴＥ側システム２０とでローカルＩＰアドレスが重複する場合があるが、テーブル内の記憶列、および、物理層を含む他拠点インタフェース１１２、１１４が異なるため、これらが混同されることはない。
【００４０】
図６、図７および図８は、それぞれＬＴＥサーバ２２およびＬＡＮサーバ１１（Ｓ１，Ｓ２）の呼出先テーブルを示している。呼出先ＩＤによって呼び出される通信端末のうち、自身の配下ある通信端末は、その端末番号が所属端末番号の欄に記載される。呼出先ＩＤによって自身の配下にない通信端末が呼び出される場合は、その呼出先ＩＤの音声信号をマスタであるゲートウェイ１２に転送するため、他拠点情報にはゲートウェイ１２のＩＰアドレスおよびポート番号が記載される。なお、ゲートウェイ１２のＬＡＮ側の他拠点インタフェース１１２およびＬＴＥ側の他拠点インタフェース１１４は物理層から異なっており（別のＭＡＣアドレスを有し）、それぞれ独立したＩＰアドレスが割り振られている。したがって、ＬＴＥサーバ２２の呼出先テーブル（図６）に書き込まれているゲートウェイ１２の他拠点情報と、ＬＡＮサーバ１１の呼出先テーブル（図７，図８）に書き込まれているゲートウェイ１２の他拠点情報とは、それぞれ別の情報である。
【００４１】
次に図９を参照してＬＴＥ側システム２０のＬＴＥ通信端末２４からＬＡＮ側システム１０のＬＡＮ通信端末１４へ音声信号が転送される手順について説明する。
【００４２】
（ステップＳ１０１）ＬＴＥ通信端末２４（０２１）がＬＡＮ通信端末１４向けの通信パケットをＬＴＥサーバ２２ヘ送信する。通信パケットの送信元ＩＰアドレスは10.10.0.1であり、宛先ＩＰアドレスは192.168.0.1である。
【００４３】
（ステップＳ１０２）ＬＴＥサーバ２２は、呼出先テーブル（図６）を参照して宛先を割り出し、通信パケットをゲートウェイ１２に送信する。この通信パケットの送信元ＩＰアドレスは192.168.0.1であり、宛先ＩＰアドレスは10.10.0.2である。
【００４４】
（ステップＳ１０３）ゲートウェイ１２は、ＬＴＥ側の他拠点インタフェース（ＬＴＥインタフェース）１１４（ＩＰアドレス10.10.0.2）へ到来した通信パケットをＬＴＥプロトコルスタック１１５で受信する。
【００４５】
（ステップＳ１０４）ゲートウェイ１２の呼制御部１１０（内部通信アプリケーション）は、受信した通信パケットの通信制御情報で呼出先テーブル（図５）を参照し、呼び出すべきサーバがＬＡＮ側の他拠点インタフェース（ＬＡＮインタフェース）１１２に接続されているサーバであることを判断する。このとき、呼出ＩＰアドレス、接続先ポート番号を同時に取得する。
【００４６】
（ステップＳ１０５）ゲートウェイ１２の呼制御部１１０は、ネットワーク１７向けの通信プロトコル変換およびＬＡＮプロトコルスタック１１３への送信指示を行う。
【００４７】
（ステップＳ１０６）ゲーウェイ１２は、ＬＡＮインタフェース１１２（ＩＰアドレス192.168.0.2）からＬＡＮプロトコルスタック１１３でＬＡＮサーバ１１（Ｓ１）へ通信パケットを送信する。通信パケットの送信元ＩＰアドレスは192.168.0.2であり、宛先ＩＰアドレスは192.168.0.1である。
【００４８】
（ステップＳ１０７）ＬＡＮサーバ１１は、内部の呼出先テーブル（図７）を参照して宛先を割り出し、通信パケットをＬＡＮ通信端末１４（００１）に送信する。通信パケットの送信元ＩＰアドレスは192.168.0.1であり、宛先ＩＰアドレスは192.168.0.10である。
【００４９】
（ステップＳ１０８）ＬＡＮ通信端末１４が、通信パケットを受信しこの通信パケットの転送が完了する。
【００５０】
ＬＡＮ通信端末１４がＬＴＥ通信端末２４へ通信パケットを送信する場合には、図９に示した手順と逆の手順で通信を行う。なお、この実施形態では、ゲートウェイ１２を挟んだ反対側への音声信号の転送について説明したが、ゲーウェイ１２の呼出先テーブル設定により、ＬＴＥサーバ２２またはＬＡＮサーバ１１から受信した通信パケットをＬＴＥサーバ２２とＬＡＮサーバ１１の両方に送信することや、受信側のネットワークに存在する別のサーバへ通信パケットを転送することも可能である。
【００５１】
以上の実施形態では、ゲートウェイ１２がマスタサーバ（Ｍ）として機能し、他のサーバ（ＬＡＮサーバ１１、ＬＴＥサーバ２２）がスレーブサーバとして機能する場合を例にあげて説明した。この場合の音声信号の流れを図１０に示す。全ての通信の音声信号は、一旦マスタサーバであるゲートウェイ１２に集められ、マスタサーバが各音声信号の到達点を判断してその音声信号をスレーブサーバに転送する。マスタサーバおよび各スレーブサーバは、複数の音声信号を受信したときこれをミキシングして一つの音声信号にして転送する。なお、各サーバの配下の端末数は、それぞれ２，０，１，１であるが、端末数はこれに限定されない。また、ゲートウェイ１２が通信端末と直接通信するようにしてもよい。
【００５２】
図１１は、ゲートウェイ１２以外のサーバ（この例ではＬＡＮサーバ１１（Ｓ１））がマスタサーバ（Ｍ）として機能し、ＬＡＮ側システム１０において、ゲートウェイ１２を含む他のサーバがスレーブサーバとして機能する場合の音声信号の流れを示す図である。全ての通信の音声信号は、マスタサーバであるＬＡＮサーバ１１（Ｓ１）に集められ、マスタサーバが各音声信号の到達点を判断してその音声信号をスレーブサーバまたは自己の配下のＬＡＮ通信端末１４に転送する。マスタサーバおよび各スレーブサーバは、複数の音声信号を受信したときこれをミキシングして一つの音声信号にして転送する。この場合でも、ＬＴＥ側システム２０においては、ゲートウェイ１２がマスタサーバとして動作すればよい。
【００５３】
図１１で説明したＬＡＮサーバ１１（Ｓ１）がマスタサーバとして機能するよう設定されたシステムでグループ通信が行われた場合の音声信号の流れについて説明する。グループ通信とは、複数の（一般的には３台以上の）通信端末が同時に相互に通信を行う形態である。なお、この場合、音声信号の送受信はフルデュプレックスで行われることが好ましい。
【００５４】
ゲートウェイ１２、ＬＴＥサーバ２２、および、ＬＡＮサーバ１１（Ｓ１，Ｓ２）の各サーバには、図５、図６、図７および図８に示したように呼出先テーブルが設けられている。グループ通信が行われる場合、そのグループは各サーバの呼出先テーブルに登録されている。以下説明する例は、３台の通信端末（００１，０１１，０２１）で構成されるグループ１０２でグループ通信が行われる例を示す。このグループ１０２は、図１２に示すように、各サーバの呼出先テーブルに登録される。なお、マスタサーバであるＬＡＮサーバ１１（Ｓ１）の配下の所属端末は通信端末１４（００１）のみであるが、マスタサーバの呼出先テーブルにはそのグループに所属する全ての通信端末の番号が登録されていてもよい。
【００５５】
図１３は、グループ１０２のグループ通信通信が行われたときの音声信号の流れを示す図である。この図の説明において、通信端末ｎから送信された音声信号を音声信号ｎと呼ぶ。音声信号ｍと音声信号ｎとがミキシングされた音声信号を音声信号ｍ，ｎと呼ぶ。また、マスタサーバであるＬＡＮサーバ１１（Ｓ１）をマスタサーバＳ１と呼び、スレーブサーバであるＬＡＮサーバ１１（Ｓ２）をスレーブサーバＳ２と呼ぶ。この図では、フルデュプレックスの全体通信で、端末００１および端末０２１が話し中、すなわち音声信号を送信している状態を示している。
【００５６】
スレーブサーバであるＬＴＥサーバ２２（ＬＳ）は、配下の通信端末０２１から音声信号０２１を受信する。また、ゲートウェイ１２（Ｇ）を経由してマスタサーバＳ１から送られてくる通信端末００１の音声信号００１を受信する。ＬＴＥサーバ２２は、ゲートウェイ１２から受信した音声信号００１を通信端末０２１に転送し、通信端末０２１から受信した音声信号０２１をマスタサーバＳ１に届けるためにゲートウェイ１２に送信する。なお、もしこの通信が全体通信（全ての通信端末を対象とするグループ通信）の場合には、ＬＴＥサーバ２２は、音声信号００１および音声信号０２１をミキシングして通信端末０２２に送信する。これにより通信端末０２２では通信端末００１の音声が聴こえる。なお、通信端末０２１に送信する音声信号に音声信号０２１をミキシングしないのはエコーを防止するためである。
【００５７】
ゲートウェイ１２は、ＬＴＥサーバ２２から音声信号０２１を受信し、マスタサーバＳ１から音声信号００１を受信する。ゲートウェイ１２は、ＬＴＥサーバ２２から受信した音声信号０２１をＬＡＮ（ネットワーク１７）のパケット形式に変換してマスタサーバＳ１に転送し、マスタサーバＳ１から受信した音声信号００１をＬＴＥネットワーク２１のパケット形式に変換してＬＴＥサーバ２２に転送する。
【００５８】
マスタサーバＳ１は、配下の通信端末００１から音声信号００１を受信する。また、ゲートウェイ１２から送信されてくる通信端末０２１の音声信号０２１を受信する。マスタサーバＳ１は、受信した音声信号００１および音声信号０２１をミキシングしてスレーブサーバＳ２に送信する。また、通信端末００１から受信した音声信号００１をゲートウェイ１２に送信する。ゲートウェイ１２に送信する音声信号に、ゲートウェイ１２から受信した音声信号０２１は含めない。ゲートウェイ１２から受信した音声信号０２１を通信端末００１に転送する。これにより通信端末００１では通信端末０２１の音声が聴こえる。なお、通信端末００１に送信する音声信号に音声信号００１をミキシングしないのはエコーを防止するためである。
【００５９】
スレーブサーバＳ２は、マスタサーバＳ１からミキシングされた音声信号００１，０２１を受信するが、配下の通信端末０１１から（グループに所属する端末であるが）音声信号を受信していない。マスタサーバＳ１から受信した音声信号００１，０２１を配下の通信端末０１１に送信する。これにより通信端末０１１では通信端末００１および通信端末０２１の音声が聴こえる。なお、スレーブサーバＳ２は、配下の通信端末から音声信号を受信していないため、マスタサーバＳ１に対しては何も送信しない。
【００６０】
上で説明した図１１、図１２および図１３の実施形態では、ＬＡＮ（ネットワーク）１７側に２台のサーバ（ＬＡＮサーバ１１）を設け、ＬＴＥネットワーク２１側に１台のサーバ（ＬＴＥサーバ２２）を設け、ＬＡＮサーバ１１のうち１台をマスタサーバにした。ＬＡＮ１７側のサーバの台数およびＬＴＥネットワーク２１側のサーバの台数はこれに限定されない。１台以上であれば何台であってもよい。また、マスタサーバがＬＡＮ１７側に設置されているがこれに限定されない。ＬＴＥネットワーク２１側に設置されてもよく、ＬＡＮ１７側、ＬＴＥネットワーク２１側にそれぞれマスタサーバが設置されてもよい。
【００６１】
音声通信システムでＬＡＮ１７側およびＬＴＥネットワーク２１側にそれぞれマスタサーバを設けた場合、図１３のＬＡＮ１７側の構成をＬＡＮ１７側およびＬＴＥネットワーク２１側の両方に備えたような構成になる。ＬＡＮ１７側の通信はＬＡＮ１７側のマスタサーバに音声信号を集約して行い、ＬＴＥネットワーク２１側の通信はＬＴＥネットワーク２１に音声信号を集約して行う。ＬＡＮ１７側の通信端末１４からＬＴＥネットワーク２１側の通信端末２４への通信（音声信号の送受信）は、ＬＡＮ通信端末２４−ＬＡＮスレーブサーバ−ＬＡＮマスタサーバ−ゲートウェイ１２−ＬＴＥマスタサーバ−ＬＴＥスレーブサーバ−ＬＴＥ通信端末２４の順で行われ、ＬＴＥネットワーク２１側の通信端末２４からＬＡＮ１７側の通信端末１４への通信は、その逆の順序で行われる。なお、通信端末１４、２４がマスタサーバの配下にある場合は、スレーブサーバを経由する必要はない。
【００６２】
以上の構成および手順により、この実施形態によれば、２つのネットワークを接続するシステムを設計する際、それぞれのネットワークで同じＩＰアドレスを使用することができるので、自由なネットワーク設計が可能になる。これにより、従来は２つのネットワーク内のＩＰアドレスをまとめて管理する必要があったが、それぞれのネットワークごとに管理すればよくなるため、利便性が向上する。
【００６３】
また、既存のネットワークシステムに新しくネットワークシステムを接続する場合、既存ネットワークのアドレス形態に影響を与えることなく、ネットワークシステムを接続することができる。
【００６４】
また、グループ通信においてもゲートウェイ１２を挟んで１つのマスタサーバに音声信号を集約することができるため、多数の通信端末によるグループ通信であっても、通信を複雑化せずにエコーを除去したミキシングが可能である。
【００６５】
実施形態では、一般のＬＡＮ（イーサネットなど）であるネットワーク１７とＬＴＥネットワーク２１を接続する例を示したが、本発明はこれに限定されず、ローカルＩＰアドレスが重複する可能性のある複数のネットワークを接続する場合に広く適用することが可能である。また、携帯電話ネットワークとしてはＬＴＥネットワーク２１に限定されない。たとえば、３Ｇネットワークであってもよい。
【符号の説明】
【００６６】
１０  ＬＡＮ側システム
１１  ＬＡＮサーバ
１２  ゲートウェイ
１４  ＬＡＮ通信端末
１７  ネットワーク（ＬＡＮ）
２０  ＬＴＥ側システム
２１  ＬＴＥネットワーク
２２  ＬＴＥサーバ
２４  ＬＴＥ通信端末
【図１】
2017006833.tif 000003
【図２】
2017006833.tif 000004
【図３】
2017006833.tif 000005
【図４】
2017006833.tif 000006
【図５】
2017006833.tif 000007
【図６】
2017006833.tif 000008
【図７】
2017006833.tif 000009
【図８】
2017006833.tif 000010
【図９】
2017006833.tif 000011
【図１０】
2017006833.tif 000012
【図１１】
2017006833.tif 000013
【図１２】
2017006833.tif 000014
【図１３】
2017006833.tif 000015
【国際調査報告】
2017006833.tif 000016
2017006833.tif 000017